(57)【要約】【課題】被災者が避難所に関する情報を容易に取得することができる災害時の情報伝達方法を提供する。【解決手段】災害が発生すると、避難所１に風船２を係留する。これにより、風船２を避難所１の上空に滞在させる。【選択図】  図１
2015219570.tif 000002
【特許請求の範囲】
【請求項１】
災害時に避難所の上空に電力を用いずに物体を滞在させて前記避難所に関する情報を伝達する
ことを特徴とする災害時の情報伝達方法。
【請求項２】
請求項１記載の災害時の情報伝達方法において、
前記避難所に関する情報は、前記物体の形態または色彩により表現される
ことを特徴とする災害時の情報伝達方法。
【請求項３】
請求項１または２記載の災害時の情報伝達方法において、
前記物体の数量は、前記避難所で配布可能な支援物資の数量を表す
ことを特徴とする災害時の情報伝達方法。
【請求項４】
請求項１記載の災害時の情報伝達方法において、
前記物体は、災害に関する情報を発信する発信元の情報を表示する
ことを特徴とする災害時の情報伝達方法。
【発明の詳細な説明】
【技術分野】
【０００１】
本発明は、災害時の情報伝達方法に関するものである。
【背景技術】
【０００２】
自治体や自治会では、大規模災害に備えて、被災者が避難する避難施設や被災者に支援物資を配布する配布施設などを準備している。また、ボランティアによっても、炊き出しや支援物資の配布が計画されている。これにより、大規模な災害が発生したときに被災者は、避難施設や配布施設、ボランティアの活動施設などの避難所に行くことにより、食料や支援物資を得たり、宿泊したりすることができる。
【先行技術文献】
【非特許文献】
【０００３】
【非特許文献１】災害用係留型情報気球 InfoBallonの開発、北海道大学  システム環境情報学研究室  小野里雅彦、［平成２６年４月２５日検索］、インターネット、<http://dse.ssi.ist.hokudai.ac.jp/~onosato/InfoBalloon/Applications.html>
【発明の概要】
【発明が解決しようとする課題】
【０００４】
しかしながら、実際に大規模な災害が発生したとき、被災者が避難所に関する情報を取得することが困難な場合があった。
【０００５】
例えば、災害によって想定外の道路の破壊や建物の倒壊が発生すると、街の状況が平常時と変わってしまうために避難所の位置がわからなくなり、避難所に到達するまでに時間がかかったり、場合によっては避難所に到達できなかったりすることがあった。特に、外出中など自宅がある街とは違う街にいるときには、この街の地理に詳しくないことが多いので、避難所に到達することがより困難となる。
【０００６】
また、災害時には情報が遮断したり錯綜したりすることがあり、受け入れ可能と言われていた避難所に辿り着いても、受け入れを拒否される場合があった。
【０００７】
また、被災地の外部からボランティアが駆けつける場合には、被災地の地理に詳しくないことが多い上、被災地の状況も平常時とは変わってしまうので、避難所に到達することが困難となっていた。
【０００８】
さらに、大規模な災害により広域停電が発生して情報通信機器が使用できなくなると、情報通信機器を用いて避難所の位置や受け入れ可能か否かなどに関する情報を取得できなくなることがあった。
【０００９】
そこで、本発明は、被災者が避難所に関する情報を容易に取得することができる災害時の情報伝達方法を提供することを目的とする。
【課題を解決するための手段】
【００１０】
上述したような課題を解決するために、本発明に係る災害時の情報伝達方法は、災害時に避難所の上空に電力を用いずに物体を滞在させて前記避難所に関する情報を伝達することを特徴とするものである。
【００１１】
上記災害時の情報伝達方法において、避難所に関する情報は、前記物体の形態または色彩により表現されるようにしてもよい。
【００１２】
また、上記災害時の情報伝達方法において、物体の数量は、避難所で配布可能な支援物資の数量を表すようにしてもよい。
【００１３】
また、上記災害時の情報伝達方法において、物体は、災害に関する情報を発信する発信元の情報を表示するようにしてもよい。
【発明の効果】
【００１４】
本発明によれば、災害時には避難所に関する情報を表示する物体が避難所の上空に滞在するので、被災者はその物体を確認することにより、避難所に関する情報を容易に取得することができる。
【図面の簡単な説明】
【００１５】
【図１】図１は、本発明の第１の実施の形態に係る災害時の情報伝達方法を説明するための図である。
【図２】図２は、避難所の上空に滞在する物体の変形例を示す図である。
【図３】図３は、避難所の上空に滞在する物体の変形例を示す図である。
【図４】図４は、本発明の第２の実施の形態に係る災害時の情報伝達方法を説明するための図である。
【図５】図５は、本発明の第３の実施の形態に係る災害時の情報伝達方法を説明するための図である。
【図６】図６は、本発明の第４の実施の形態に係る災害時の情報伝達方法を説明するための図である。
【発明を実施するための形態】
【００１６】
以下、図面を参照して、本発明の実施の形態について詳細に説明する。
【００１７】
［第１の実施の形態］
まず、本発明に係る第１の実施の形態について説明する。
図１に示すように、本実施の形態に係る災害時の情報伝達方法は、災害時に避難所１に風船２を係留するものである。
【００１８】
ここで、避難所１とは、災害時に被災者を援助するための施設である。例えば、避難所１は、被災者が避難する避難施設、被災者に支援物資を配布する配布施設、ボランティアが炊き出しや支援物資の配布を行うボランティア施設などである。
【００１９】
風船２は、電力を用いずに避難所１の上空に滞在する物体である。本実施の形態において、風船２は、例えばヘリウムガスなど空気より軽い気体が詰め込まれることにより浮遊する物体であり、災害時に避難所１に係留されることにより避難所１の上空に滞在する。これにより、風船２は、直下に避難所１が存在することを伝達することになる。このような風船２は、避難所１に係留されたり、避難所１が直下に存在することを伝達したりすることなどのために、電力を全く用いないものである。
【００２０】
災害が発生すると、風船２は避難所１に係留される。これにより、風船２が避難所１の上空に滞在するので、被災者は、避難所１から離れた場所であっても風船２の存在を確認することができる。この風船２は、風船２の直下に避難所１が存在することを意味している。したがって、風船２の存在を確認することにより、被災者は、避難所１の位置を知ることができる。そして、風船２に向かって移動することにより、被災者は、避難所１に到達することができる。
【００２１】
以上説明したように、本実施の形態によれば、災害時に風船２を避難所１に係留して、風船２を避難所１上空に滞在させることにより、被災者は風船２を確認するだけで避難所１の位置を知ることができる。
【００２２】
なお、本実施の形態では、避難所１に風船２を係留する場合を例に説明したが、災害時に避難所１の上空に滞在可能であり、電力を用いない物体であるならば、避難所１の上空させる物体は風船２に限定されず、各種物体を用いることができる。例えば、図２に示すように、吹き流し３を避難所１の上空に掲揚するようにしてもよい。また、図３に示すように、旗４を避難所１の上空に掲揚するようにしてもよい。さらに、風船２と同様に浮遊可能なアドバルーンや気球などを避難所１に係留するようにしてもよい。
【００２３】
［第２の実施の形態］
次に、本発明に係る第２の実施の形態について説明する。
【００２４】
本実施の形態に係る災害時の情報伝達方法は、避難所に関する情報を、災害時に避難所の上空に滞在させる風船２の色により表現するものである。具体的には、図４に示すように、避難施設１ａの上空に青色の風船２ａを滞在させ、食料配布施設１ｂの上空に黄色の風船２ｂを滞在させ、ボランティア施設１ｃの上空に白色の風船２ｃを滞在させる。
【００２５】
ここで、避難施設１ａは、被災者が避難する施設である。また、食料配布施設１ｂは、被災者に支援物資を配布する施設である。また、ボランティア施設１ｃとは、ボランティアが炊き出しや支援物資の配布を行ったり、これらの活動を行うボランティアを募集したりする施設である。
【００２６】
風船２ａ〜２ｃは、例えばヘリウムガスなど空気より軽い気体が詰め込まれることにより浮遊する物体である。このような風船２ａ〜２ｃは、係留される施設に応じて色分けされている。本実施の形態において、避難施設１ａに係留される風船２ａは青色、食料配布施設１ｂに係留される風船２ｂは黄色、ボランティア施設１ｃに係留される風船２ｃは白色とされている。
【００２７】
災害が発生すると、青色の風船２ａが避難施設１ａに、黄色の風船２ｂが食料配布施設１ｂに、白色の風船２ｃがボランティア施設１ｃに、それぞれ係留される。これにより、被災地の上空に３色の風船２ａ〜２ｃが滞在するので、被災者は、避難施設１ａ、食料配布施設１ｂ、ボランティア施設１ｃなどの避難所から離れた場所であっても風船２ａ〜２ｃの存在を確認することができる。
【００２８】
ここで、風船２ａは、風船２ａの直下に避難施設１ａが存在することを意味している。したがって、風船２ａの存在を確認することにより、被災者は、避難施設１ａの位置を知ることができる。そして、風船２ａに向かって移動することにより、被災者は、避難施設１ａに到達することができる。  
【００２９】
また、風船２ｂは、風船２ｂの直下に食料配布施設１ｂが存在することを意味している。したがって、風船２ｂの存在を確認することにより、被災者は、食料配布施設１ｂの位置を知ることができる。そして、風船２ｂに向かって移動することにより、被災者は、食料配布施設１ｂに到達することができる。  
【００３０】
また、風船２ｃは、風船２ｃの直下にボランティア施設１ｃが存在することを意味している。したがって、風船２ｃの存在を確認することにより、被災者やボランティアは、ボランティア施設１ｃの位置を知ることができる。そして、風船２ｃに向かって移動することにより、被災者やボランティアは、ボランティア施設１ｃに到達することができる。
【００３１】
以上説明したように、本実施の形態によれば、避難所の種類に応じて風船２ａ〜２ｃの色彩を変更することにより、被災者やボランティアは、風船２ａ〜２ｃの色を確認するだけで特定の避難所に関する情報を取得することができる。
【００３２】
なお、本実施の形態では、避難所１の上空に滞在させる物体として風船２ａ〜２ｃを用いる場合を例に説明したが、上述した第１の実施の形態と同様、災害時に避難所１の上空に滞在可能であり、電力を用いない物体であるならば、避難所１の上空させる物体は風船２に限定されず、各種物体を用いることができる。
【００３３】
また、本実施の形態では、避難所の種類に応じて風船の色彩を変更する場合を例に説明したが、避難所の種類が異なることを被災者やボランティアが認識できるのであれば、物体を変更する種類は色に限定されず、例えば、風船の形状や大きさ等の形態など適宜自由に設定することができる。
【００３４】
［第３の実施の形態］
次に、本発明に係る第３の実施の形態について説明する。なお、本実施の形態において、上述した第１，第２の実施の形態と同等の構成については同じ名称および符号を付して、適宜説明を省略する。
【００３５】
本実施の形態に係る災害時の情報伝達方法は、図５に示すように、災害時に食料配布施設１ｂ−１〜１ｂ−３の上空に滞在させる風船２の数量を、その食料配布施設１ｂ−１〜１ｂ−３で配布可能な支援物資の数量に応じて変更するものである。
ここで、風船２は、配布可能な支援物資の数量が１００人分ごとに１つずつ、食料配布施設に係留されるものとする。そして、１００人分の支援物資を備蓄した食料配布施設１ｂ−１と、２００人分の支援物資を備蓄した食料配布施設１ｂ−２と、３００人分の支援物資を備蓄した食料配布施設１ｂ−３とが存在するものとする。このような状態で災害が発生すると、図５に示すように、食料配布施設１ｂ−１には１つの風船２、食料配布施設１ｂ−２には２つの風船２、食料配布施設１ｂ−３には３つの風船２が、それぞれ係留されることとなる。
【００３６】
これにより、被災地の上空には配布可能な支援物資の数量に応じた風船２が滞在するので、被災者は、食料配布施設１ｂ−１〜１ｂ−３から離れた場所であっても風船２の存在を確認することができる。また、風船２は、風船２の直下に食料配布施設が存在することを意味している。したがって、風船２の存在を確認することにより、被災者は、食料配布施設の位置を知ることができる。そして、風船２に向かって移動することにより、被災者は、食料配布施設に到達し、支援物資を受け取ることができる。
【００３７】
このとき、被災者は、風船２の数量から食料配布施設１ｂ−１〜１ｂ−３で配布可能な支援物資の数量を識別することができる。これにより、被災者は、例えば支援物資の数量が多い食料配布施設に向かうことにより、支援物資をより確実に受け取ることができるようになる。
【００３８】
以上説明したように、本実施の形態によれば、災害時に食料配布施設１ｂ−１〜１ｂ−３の上空に滞在させる風船２の数量を、その食料配布施設１ｂ−１〜１ｂ−３で配布可能な支援物資の数量に応じて変更することにより、被災者は、風船２の数量を確認するだけで食料配布施設１ｂ−１〜１ｂ−３で配布可能な支援物資の数量を識別することができる。
【００３９】
なお、本実施の形態では、食料配布施設に備蓄された支援物資の数量に基づいて食料配布施設の上空に滞在させる物体の数量を変更する場合を例に説明したが、食料配布施設などの避難所の上空に滞在させる物体の数量は、定量的に表すことができる避難所に関する情報であれば備蓄した支援物資の数量に限定されず、適宜自由に設定することができる。例えば、収容可能な被災者の人数、必要なボランティアの人数等に基づいて、避難所の上空に滞在させる物体の数量を設定するようにしてもよい。
【００４０】
また、本実施の形態では、避難所１の上空に滞在させる物体として風船２を用いる場合を例に説明したが、上述した第１の実施の形態と同様、災害時に避難所１の上空に滞在可能であり、電力を用いない物体であるならば、避難所１の上空させる物体は風船２に限定されず、各種物体を用いることができる。
【００４１】
［第４の実施の形態］
次に、本発明に係る第４の実施の形態について説明する。なお、本実施の形態において、上述した第１〜第３の実施の形態と同等の構成については同じ名称および符号を付して、適宜説明を省略する。
【００４２】
本実施の形態に係る災害時の情報伝達方法は、図６に示すように、災害時に避難所１に係留する風船２ｄに、災害に関する情報を発信する発信元の情報を表示するものである。
【００４３】
図６に示すように、風船２ｄには、「www.×××.com」というＵＲＬが表示されている。このＵＲＬは、災害に関する情報が掲載されたウェブページに関するものである。なお、災害に関する情報を発信する発信元に関する情報であれば、風船２ｄには各種情報を表示させることができる。例えば、災害に関する情報を放送するラジオの放送局の周波数などを表示させるようにしてもよい。
【００４４】
これにより、被災地の上空には災害に関する情報を発信するウェブページのＵＲＬが表示された風船２ｄが滞在するので、被災者は、そのＵＲＬを容易に知ることができる。そして、通信端末によってそのＵＲＬにアクセスしてウェブページを閲覧することにより、被災者は、災害に関する情報を取得することができる。
【００４５】
以上説明したように、本実施の形態によれば、災害時に避難所１の上空に滞在させる風船２ｄに、災害に関する情報を発信する発信元の情報を表示することにより、被災者は、風船２ｄに記載された発信元の情報を確認するだけで、災害に関する情報を取得することができる。
【００４６】
なお、本実施の形態では、避難所に関する情報を発信する発信元の情報を記載する場合を例に説明したが、その情報は送信元の情報に限定されず、適宜自由に設定することができる。
【００４７】
また、本実施の形態では、避難所１の上空に滞在させる物体として風船２ｄを用いる場合を例に説明したが、上述した第１の実施の形態と同様、災害時に避難所１の上空に滞在可能であり、電力を用いない物体であるならば、避難所１の上空させる物体は風船２ｄに限定されず、各種物体を用いることができる。
【産業上の利用可能性】
【００４８】
本発明は、災害時に避難所に関する情報を表示するための各種方法に適用することができる。
【符号の説明】
【００４９】
１…避難所、１ａ…避難施設、１ｂ，１ｂ−１〜１ｂ−３…食料配布施設、１ｃ…ボランティア施設、２，２ａ〜２ｄ…物体、３…吹き流し、４…旗。
【図１】
2015219570.tif 000003
【図２】
2015219570.tif 000004
【図３】
2015219570.tif 000005
【図４】
2015219570.tif 000006
【図５】
2015219570.tif 000007
【図６】
2015219570.tif 000008